(57)【要約】【課題】筐体内に湿気および腐食性ガスが侵入することを大掛かりな装置を用いることなく防止しつつ、筐体の内外の電気的接続を行うことのできる配電盤を得ることを目的とする。【解決手段】電気機器が収納され、該電気機器と外部との間の電気的な接続を行うための孔部７を有する筐体２と、孔部７に螺着されて、筐体２の内外を密閉する取付部１８、取付部１８から筐体２の内外に向けて対となるように取付部１８に一体に絶縁材料にて突設される保持部２２ａ，２２ｂと該保持部２２ａ，２２ｂのそれぞれに配設され、筐体２の内外の電線２８ａ〜２８ｃが接続される電気結合部２６とを有する接続部２１および取付部１８および保持部の内部を通って筐体２の内外の両側の電気結合部を接続する導体２７ａを有する配線接続具と、を備えている。【選択図】図１
2007288965.tif 000002
【特許請求の範囲】
【請求項１】
電気機器が収納され、該電気機器と外部との間の電気的な接続を行うための孔部を有する筐体と、
上記孔部に螺着されて、上記筐体の内外を密閉する取付部、上記取付部から上記筐体の内外に向けて対となるように上記取付部に一体に絶縁材料にて突設される保持部と該保持部のそれぞれに配設され、上記筐体の内外の電線が接続される電気結合部とを有する接続部および上記取付部および上記保持部の内部を通って上記筐体の内外の両側の上記電気結合部を接続する導体を有する配線接続具と、
を備えることを特徴とする配電盤。
【請求項２】
上記接続部は、上記電気結合部と上記筐体の内外の電線とがネジの締着により電気的に接続されるように構成されていることを特徴とする請求項１記載の配電盤。
【請求項３】
上記接続部は、上記電気結合部と上記筐体の内外の上記電線とがコネクタ接続により電気的に接続されるように構成されていることを特徴とする請求項１記載の配電盤。
【請求項４】
立設された筒状体を有する支持部をさらに有し、
上記筐体は上記孔部を上記筒状体内に位置させて上記支持部の上部に取り付けられ、
上記筐体の外の上記電線が、上記筒状体内を挿通されて上記電気結合部に接続されていることを特徴とする請求項１乃至請求項３のいずれか１項に記載の配電盤。
【請求項５】
開口が上記筒状体の上記筐体側に穿設され、扉が上記開口を開閉可能に上記筒状体に取り付けられ、さらに上記筒状体内を挿通された上記電線が上記開口近傍の上記筐体の内壁面に配設されたケーブル保持具に保持されていることを特徴とする請求項４記載の配電盤。
【請求項６】
電気機器が収納され、該電気機器と外部との電気的な接続を行うための孔部を有する筐体と、
リング嵌着用孔を有し、該リング嵌着用孔を上記孔内に位置させて上記孔部を塞口するように上記筐体に気密に取り付けられた遮蔽板と、
上記電気機器と外部との電気的な接続を行う配線部材が挿通されて上記リング嵌着用孔に嵌着され、該配線部材との間および上記リング嵌着用孔との間の隙間を封止する弾性部材からなる密閉用リングと、
を備えていることを特徴とする配電盤。
【請求項７】
立設された筒状体を有する支持部をさらに有し、
上記筐体は上記孔部を上記筒状体内に位置させて上記支持部の上部に取り付けられ、
上記配線部材が、上記筒状体内を挿通され、さらに上記密閉用リングを挿通させて上記筐体内挿入されていることを特徴とする請求項６記載の配電盤。
【請求項８】
開口が上記筒状体の上記筐体側に穿設され、扉が上記開口を開閉可能に上記筒状体に取り付けられ、さらに上記筒状体内を挿通された上記配線部材が上記開口近傍の上記筐体の内壁面に配設されたケーブル保持具に保持されていることを特徴とする請求項７記載の配電盤。
【発明の詳細な説明】
【技術分野】
【０００１】
この発明は、湿気および腐食性ガスが、電気機器を収納する筐体内に侵入することを防止する構造を備える配電盤に関するものである。
【背景技術】
【０００２】
従来の防食仕様の配電盤ボックスは、ポリウレタン樹脂をコーティング材としたコーティング層が、筐体の素材表面に形成されている（例えば、特許文献１参照）。
【０００３】
従来の防食仕様の配電盤ボックスにおいては、筐体内部に収納されている電気機器と外部との電気的接続を行うためのケーブルが、外部から筐体内部に引きこまれている。ここで、ケーブルの引き込み部位から湿気や腐食性ガスが筐体内部に侵入されると電気機器の故障要因となったり、筐体や電気機器の金属部分が錆びついたりするため、ケーブル引き込み部位において湿気や腐食性ガスが、筐体の内部に侵入するのを防止する必要がある。ケーブル引き込み部位において、湿気や腐食性ガスが筐体内部への侵入するのを防止する方法については、特許文献には具体的に記載されていないが、一般に以下に示す方法により筐体の内部に湿気や腐食性ガスが侵入するのを防止していた。
【０００４】
図１５は従来の配電盤の構成を示す斜視図、図１６は図１５のＸＶＩ−ＸＶＩ矢視断面図、図１７は従来の配電盤におけるケーブル引き込み部周りを示す要部拡大断面図である。
図１５〜図１７において従来の配電盤１０１は、筐体１０２、複数の端子板１１４ａ，１１４ｂが搭載された端子台１０３、円筒状の支持部１０４、遮蔽板１０５およびケーブル１０６ａ，１０６ｂを備えている。
【０００５】
筐体１０２は、中空の直方体に形成され、図示しないが、例えば、遮断器、変圧器、計器などの電気機器が収納されている。そして、筐体１０２の底床１０７には、電線引き込み用の第１の孔部１０８が形成されている。また、筐体１０２の前面には前面扉１１２が開閉自在に設けられている。
また、支持部１０４は、第１の孔部１０８の孔径より長い直径を有する円筒に形成されている。そして、筐体１０２と支持部１０４は、第１の孔部１０８の中心と支持部１０４の軸心とが合わさるように一体に形成されている。
【０００６】
遮蔽板１０５は、矩形平板に形成され、第１の孔部１０８の孔径より短い孔径の第２の孔部１０９がその中央部に形成されている。そして、遮蔽板１０５が、第２の孔部１０９の中心を第１の孔部１０８の中心に合わせて、底床１０７上に固着されている。そして、ケーブル１０６ａは、３本の電線１１０ａを絶縁材質の被覆で束ねて構成されている。また、ケーブル１０６ｂは、３本の電線１１０ｂを絶縁材質の被覆で束ねて構成されている。ここで、それぞれの電線１１０ａ，１１０ｂは、片側の端部を除いて絶縁材で覆われている。そして、２つのケーブル１０６ａ，１０６ｂの片側の端部が、支持部１０４の空洞部、第１の孔部１０８および第２の孔部１０９に挿通されて筐体１０２の内部まで導かれている。
【０００７】
端子板１１４ａ，１１４ｂのそれぞれは、対となって端子台１０３に所定の間隔で、かつ、対の端子板１１４ａ，１１４ｂの間は導通するように配置されている。
そして、２つの端子台１０３が筐体１０２の内部の背面側に取り付けられている。また、詳細には図示しないが、電線１１０ａ,１１０ｂのそれぞれの片側の端部は、ネジ（図示せず）などを用いて端子板１１４ａに取り付けられている。
【０００８】
さらに、電線１１０ｃ，１１０ｄが、電線１１０ａ，１１０ｂが取り付けられた端子板１１４ａと対となる端子板１１４ｂに、ネジにより取り付けられている。そして、電線１１０ｃ、１１０ｄの先端は上述の電気機器などに接続されている。
【０００９】
そして、パテ１１１が、ケーブル１０６ａ，１０６ｂの周囲を覆いつつ、第２の孔部１０９に充填されている。これにより、湿気や腐食性ガスが、ケーブル１０６ａ，１０６ｂを引き込むために形成した第１の孔部１０８から、筐体１０２の内部に侵入するのを防止していた。ここで、腐食性ガスには、亜硫酸ガス、硫化水素、塩化水素およびアンモニアなど様々なものがあげられる。例えば、焼却炉周辺などでは、汚泥が燃焼される際に亜硫酸ガスが発生し、大気中に高濃度に混入されている場合がある。
【００１０】
【特許文献１】実用新案登録第３０７１１０６号公報
【発明の開示】
【発明が解決しようとする課題】
【００１１】
上述のように従来の配電盤１０１では、パテ１１１を第２の孔部１０９に充填して、ケーブル１０６ａ，１０６ｂ（電線１１０ａ，１１０ｂ）の引き込み箇所における筐体１０２内部と外部との遮蔽を行っている。しかしながら、ケーブル１０６ａ，１０６ｂの自重などにより、パテ１１１の充填部とケーブル１０６ａ，１０６ｂとの間に力が加わると、パテ１１１とケーブル１０６ａ，１０６ｂとの間に隙間が生じる場合がある。
【００１２】
また、一般にケーブル１０６ａ，１０６ｂの断面は円形であり、例えば３本以上のケーブルを複数束ねた場合、ケーブル間は、密着させることができずに隙間が生じ、この隙間にパテ１１１を充填させることが困難になる場合がある。
そして、パテ１１１とケーブルとの隙間やケーブル間の隙間から湿気や腐食性ガスが筐体１０２の内部に侵入する問題が発生していた。筐体１０２内に湿気や腐食性ガスが侵入すると、電気機器の故障要因となったり、筐体１０２や電気機器の金属部分が錆びついてその強度が低下したりする。
【００１３】
筐体１０２内の除湿を行う手段としては、筐体１０２内に除湿器を配設する方法があるが、一般的に除湿器は配電盤１０１に比べて寿命が短く、定期的にメンテナンスや交換を行う必要性が生じ、コストの増加につながる。また、腐食性ガスに対して効果的な対策をとるには、さらに大掛かりな装置が必要となり、コストが著しく増加する。
【００１４】
この発明は、上記の課題を解決するためになされたものであり、筐体内に湿気および腐食性ガスが侵入することを大掛かりな装置を用いることなく防止しつつ、筐体の内外の電気的接続を行うことのできる配電盤を得ることを目的とする。
【課題を解決するための手段】
【００１５】
この発明による配電盤は、電気機器が収納され、該電気機器と外部との間の電気的な接続を行うための孔部を有する筐体と、孔部に螺着されて、筐体の内外を密閉する取付部、取付部から筐体の内外に向けて対となるように取付部に一体に絶縁材料にて突設される保持部と該保持部のそれぞれに配設され、筐体の内外の電線が接続される電気結合部とを有する接続部および取付部および保持部の内部を通って筐体の内外の両側の電気結合部を接続する導体を有する配線接続具と、を備えている。
【発明の効果】
【００１６】
この発明によれば、筐体の内外の両側の電気結合部を接続する導体を有する配線接続具が筐体に形成された孔部を密閉するように孔部に螺着され、さらに、筐体の内外の電線が、電気結合部に結合されているので、筐体内に湿気および腐食性ガスが侵入することを大掛かりな装置を用いることなく防止しつつ、筐体の内外の電気的接続を行うことができる。
【発明を実施するための最良の形態】
【００１７】
以下、この発明を実施するための最良の形態について、図面を参照して説明する。
実施の形態１．
図１はこの発明の実施の形態１に係る配電盤の斜視図、図２は図１のＩＩ−ＩＩ矢視断面図、図３この発明の実施の形態１に係る配電盤における配線接続具の配設箇所周りの構造を示す断面図、図４はこの発明の実施の形態１に係る配電盤における配線接続具の拡大斜視図、図５は図１のＶ−Ｖ矢視断面図、図６は図５のＶＩ−ＶＩ矢視断面図である。
まず、配電盤１Ａの主要構成について説明する。
図１〜図６において、配電盤１Ａは筐体２、配線接続具３Ａ、ケーブル１１ａ，１１ｂ，支持部４Ａおよびリング状のパッキン５を有している。
【００１８】
筐体２は、中空の直方体に形成され、図示しないが、例えば、遮断器、変圧器、計器などの電気機器が収納されている。また、筐体２の底床６には、電気機器と外部との間の電気的な接続を行うための孔部７が形成されている。そして、筐体２の孔部７には、配線接続具３Ａが、筐体２の内外に突出するように固定されている。
【００１９】
また、立設された支持部４Ａの一端側（下部）は、一面を地面に固定されたコンクリート土台９の他面に固定されている。そして、コンクリート土台９には、貫通孔１０が鉛直方向に形成されている。さらに、支持部４Ａの他端側（上部）が、筐体２の外部に突出された配線接続具３Ａを覆うように底床６に取り付けられて、配電盤１Ａがいわゆるポスト型に配設されている。そして、ケーブル１１ａ，１１ｂがコンクリート土台９の貫通孔１０および支持部４Ａの空洞部に挿通されて、筐体２の下部まで引き込まれ、ケーブル１１ａ，１１ｂに内包されていた電線２８ａ、２８ｂが、筐体２の下部で配線接続具３Ａに接続されている。
【００２０】
次いで、配電盤１Ａの詳細な構成について説明する。
筐体２は、前面扉８が開閉自在に設けられ、前面扉８が閉められたときには、筐体２内の気密性が保たれるようになっている。
支持部４Ａは、筒状体としての円筒部１３ａと固定用板部１４とで構成される。固定用板部１４は、円筒部１３ａの両開口面の縁部から径方向外方に延在されている。そして、支持部４Ａは、その一端側の固定用板部１４をコンクリート土台９の他面に合わせて、コンクリート土台９にボルト３０によって固定されている。
そして、筐体２の底床６の中央部には円筒部１３ａの内径より短い孔径を有する孔部７が底床６を貫通して形成されている。そして、孔部７の内壁には、後述の締付部２０のネジ溝２４に対応するタップ１５が切られている。
【００２１】
また、筐体２は、孔部７の中心を円筒部１３ａの軸心と一致させて、支持部４Ａの他端側の固定用板部１４上に配置されている。そして、筐体２の底床６と固定用板部１４とがボルト１６およびナット１７にて固定されている。
配線接続具３Ａは、図４に示されるように、取付部１８、接続部としての端子台配設部２１および導体２７ａを備えている。さらに、端子台配設部２１は、保持部としての第１の突出部２２ａと第２の突出部２２ｂおよび電気結合部としての端子板２６を有している。
【００２２】
そして、取付部１８と端子台配設部２１とは、例えば、材料にプラスチック樹脂などの絶縁性樹脂を用いて、端子板２６および導体２７ａとともにモールド成形により一体化されている。このとき、導体２７ａは絶縁性樹脂にインサート成形され、また、端子板２６は、絶縁性樹脂の表面に露出されている。
【００２３】
取付部１８は、円板部１９と円板部１９の直径よりより小さい直径を有する円柱状の締付部２０とからなり、締付部２０はその軸心を円板部１９の軸心に合わせて円板部１９の一面から突出するように形成されている。
【００２４】
また、円板部１９の直径は孔部７の孔径より大きく形成されている。さらに、締付部２０の径方向の長さは、孔部７の孔径と略同じに形成され、外周には、前述のタップ１５に対応するネジ溝２４が掘られている。
【００２５】
さらに、柱状の端子台配設部２１において、絶縁材料でモールド成形された第１の突出部２２ａおよび第２の突出部２２ｂは、円板部１９および締付部２０の中心部を軸方向に貫通した状態に形成される。つまり、第１の突出部２２ａ第２の突出部２２ｂが、取付部１８から筐体２の内外に向けて対となるように取付部１８に一体に絶縁材料にて突設される。
【００２６】
第１の突出部２２ａおよび第２の突出部２２ｂのそれぞれには、それらの長さ方向に端子板２６が、所定の間隔で６つ配設されている。また、第１の突出部２２ａの端子板２６および第２の突出部２２ｂの端子板２６のそれぞれが、一対一に対応するように、６本の導体２７ａにて接続されている。また、端子板２６の材料は、アルミなどの金属が用いられている。
【００２７】
また、従来技術で述べた端子板１１４と同様に端子板２６には、ネジ２５の締付けにより後述の電線２８ａ〜２８ｃを締着固定することができる構造となっている。
【００２８】
そして、配線接続具３Ａは、締付部２０のネジ溝２４を孔部７を形成する壁面に形成されたタップ１５に螺着させることにより、筐体２の底床６に取り付けられている。
【００２９】
また、コンクリート土台９の下部には、ケーブル１１ａ，１１ｂの配線経路を安定した状態で確保するために溝部１２ａが形成されている。
【００３０】
ケーブル１１ａは、３本の電線２８ａを絶縁材質の被覆２９で束ねて構成されている。また、ケーブル１１ｂは、３本の電線２８ｂを絶縁材質の被覆２９で束ねて構成されている。
ここで、詳細には、図示しないが、ケーブル１１ａ，１１ｂの一端側（電線２８ｂ，２８ｃの一端側）は、配電盤１Ａの計器の測定値を読み込んだり、読み込んだ測定値に基づき配電盤１Ａを制御するための制御信号を送信したりする筐体２の外部に配設される制御機器等に接続される。
また、それぞれの電線２８ａ，２８ｂは、他端側の端部を除いて絶縁材（図示せず）で覆われている。
【００３１】
次に、配電盤１Ａへの配線接続具３Ａの取り付けと、配線接続具３Ａを介した筐体２の外部と筐体２内の電気機器との電線２８ａ〜２８ｃによる接続手順とについて説明する。
まず、前面扉８を開き、リング状のパッキン５を筐体２の孔部７を取り囲むように配置させる。そして、締付部２０のネジ溝２４をタップ１５に合わせて螺合させることにより配線接続具３Ａを筐体２に締着固定する。次に、第１の突出部２２ａの端子板２６と筐体２内の各電子機器との間を、端子板２６に電線２８ｃをネジ２５によって締着固定することにより接続する。
【００３２】
そして、ケーブル１１ａ，１１ｂの他端側を、円筒部１３ａの一側の開口部から他側の開口部に向けて円筒部１３ａ内を挿通させる。さらに、円筒部１３ａの他側の開口部から被覆２９に束ねられた電線２８ａ，２８ｂをそれぞれ取り出し、第２の突出部２２ｂの端子板２６に別個にネジ２５によって締着固定する。
【００３３】
そして、支持部４Ａを、コンクリート土台９の貫通孔１０の中心と円筒部１３ａの軸心とを合わせてコンクリート土台９の他面に配置し、さらに、固定用板部１４とコンクリート土台９との間をボルト３０にて締着固定する。
また、筐体２を孔部７の中心と円筒部１３ａの軸心とを合わせて配置し、固定用板部１４と筐体２の底床６との間をボルト１６およびナット１７にて固定する。
そして、前面扉８を閉めることにより、配電盤１Ａの筐体２の内は密閉される。
【００３４】
この実施の形態１では、配線接続具３Ａが筐体２に形成された孔部７を密閉するように、締付部２０が孔部７に螺着されている。また、円板部１９と底床６との間にリング状のパッキン５が、介装されているので、配線接続具３Ａの取り付け部の気密性は高く保持される。そして、配線接続具３Ａは、筐体２の内部および外部にそれぞれ配置される第１の突出部２２ａおよび第２の突出部２２ｂを有している。さらに第１の突出部２２ａと第２の突出部２２ｂにそれぞれ設けられた複数の端子板２６が、配線接続具３Ａの内部にインサート成形された導体２７ａにて接続されている。
【００３５】
さらに、第１の突出部２２ａおよび第２の突出部２２ｂにおいて、導体２７ａで接続された一対の端子板２６の間は導通されている。また、筐体２の内外の電線２８ａ〜２８ｃと端子板２６とがネジ２５により締着固定されているので、筐体２の内外は電気的に接続される。
従って、この実施の形態１によれば、大掛かりな装置を配設することなく、配線接続具３Ａによって筐体２の内外の電気的な接続は維持され、さらに、孔部７は密閉されるので、筐体２の内部に湿気や腐食性ガスが侵入することを防止することができる。
【００３６】
なお、この実施の形態では、筐体２は、孔部７の中心を円筒部１３ａの軸心と一致させて、支持部４Ａの他端側の固定用板部１４上に配置されるものとして説明したが、孔部７の中心を円筒部１３ａの軸心に一致させることに限定されるものではなく、孔部７が円筒部１３ａの開口内に位置されていればよい。
【００３７】
実施の形態２．
図７この発明の実施の形態２に係る配電盤における配線接続具の配設箇所周りの構造を示す断面図、図８はこの発明の実施の形態２に係る配電盤における配線接続具の拡大斜視図である。
【００３８】
図７および図８において、配線接続具３Ｂは、円板部１９、締付部２０および接続部としてのメス型コネクタ３１ａ，３１ｂが、メス型コネクタ３１ａを円板部１９の他面側に突設させ、メス型コネクタ３１ｂを締付部２０の一面側に突設させるように、絶縁性樹脂により一体にモールド成形されている。
【００３９】
メス型コネクタ３１ａ，３１ｂは、保持部としての第３の突出部２２ｃと第４の突出部２２ｄおよび電気結合部としてのピン係合部３３を有している。第３の突出部２２ｃおよび第４の突出部２２ｄが、取付部１８から筐体２の内外に向けて対となるように取付部１８に一体に突設されている。さらに、第３の突出部２２ｃおよび第４の突出部２２ｄのそれぞれに、ピン係合部３３が一体に６つ配設され、インサート成形された導体２７ｂにより、第３の突出部２２ｃおよび第４の突出部２２ｄのそれぞれのピン係合部３３が、一対一に対応するように互いに接続されている。
【００４０】
ケーブル１１ｃは、被覆２９で６本の電線２８ｃを束ねて形成されている。そして、ケーブル１１ｃの各電線２８ｃの一端は、筐体２の内部に収納されている各電気機器に接続され、他端は、オス型コネクタ３２ａの各ピン３４に接続されている。また、ケーブル１１ａ，１１ｂの各電線２８ａ，２８ｂは、オス型コネクタ３２ｂの各ピン３４に接続されている。ここで、メス型コネクタ３１ａ，３１ｂおよびオス型コネクタ３２ａ，３２ｂをまとめてコネクタとする。
なお、他の構成は、上記実施の形態１と同様に構成されている。
【００４１】
この実施の形態２による配電盤１Ｂでは、配線接続具３Ｂがその締付部２０を孔部７に定着して筐体２に取り付けられている。そして、オス型コネクタ３２ａ，３２ｂのピン３４をメス型コネクタ３１ａ，３１ｂのピン係合部３３に嵌着して、オス型コネクタ３２ａ，３２ｂがメス型コネクタ３１ａ，３１ｂに装着されている。従って、メス型コネクタ３１ａ，３１ｂとオス型コネクタ３２ａ，３２ｂとのコネクタ接続により、ピン係合部３４と筐体２の内外の電線２８ａ〜２８ｃとがピン３３を介して電気的に接続される。
さらに、メス型コネクタ３１ａ，３１ｂのそれぞれの係合部は配線接続具３Ｂの内部にインサート成形された導体２７ｂにて接続されている。
従ってこの実施の形態２によれば、実施の形態１と同様の効果が得られる。さらに、筐体２の内外の電気的な接続はメス型コネクタ３１ａ，３１ｂおよびオス型コネクタ３２ａ、３２ｂを脱着するだけであり、作業性が向上するという効果が得られる。
【００４２】
なお、この実施の形態２では、メス型コネクタ３１ａ，３１ｂをそれぞれ円板部１９の他面および締付部２０の一面から突出させるものとして説明したがこれに限定されるものではなく、電気結合部としてのピン３４を有する接続部としてのオス型コネクタ３２ａ，３２ｂを円板部１９の他面および締付部２０の他面から突出させてもよい。また、メス型コネクタ３１ａ，３１ｂまたはオス型コネクタ３２ａ，３２ｂのいずれかが円板部１９の他面および締付部２０の一面から突出するようにさせてもよい。
【００４３】
実施の形態３．
図９この発明の実施の形態３に係る配電盤の斜視図、図１０はこの発明の実施の形態３に係る配電盤における遮蔽板の配設箇所周りの構造を示す断面図である。
図９および図１０において、密閉用リング３５を有する遮蔽板３６が孔部７を塞口しつつ筐体２の底床６に気密に取り付けられている。また、複数の端子板３７ａ，３７ｂが搭載された端子台３８が備えられている。さらに、電線２８ｄ，２８ｅの一端が筐体２の内部に収納されている各電気機器に接続され、他端は、端子板３７ｂのそれぞれに取り付けられている。
なお、他の構成は、上記実施の形態１と同様に構成されている。
【００４４】
端子板３７ａ，３７ｂのそれぞれは、対となって端子台３８に所定の間隔で、かつ、対の端子板３７ａ，３７ｂの間は導通状態に配置されている。そして、２つの端子台３８が筐体２の内部の背面側に取り付けられている。
遮蔽板３６は、矩形平板に形成されている。さらに、２つのリング嵌着用孔３９が遮蔽板３６の中央よりに形成されている。このとき、リング嵌着用孔３９が孔部７内に位置されている。そして、密閉用リング３５が、リング嵌着用孔３９に嵌着されている。密閉用リング３５は弾性かつ防水性のあるゴムなどで形成され、密閉用リング３５とリング嵌着用孔３９との間の隙間が封止されている。このとき、密閉用リング３５の内径は、ケーブル１１ａ，１１ｂの外径よりやや小さく形成されている。そして、遮蔽板３６は、孔部７を覆って底床６上に固着されている。
【００４５】
さらに、筒状体１３ａ内を挿通されたケーブル１１ａ，１１ｂが密閉用リング３５の内周面に押圧されつつ挿通されて、筐体２の内部に導かれている。そして、ケーブル１１ａ，１１ｂのそれぞれに束ねられた電線２８ａ，２８ｂが、それぞれネジ４０を用いて端子板３７ａに取り付けられている。ここで、ケーブル１１ａ，１１ｂの外径より小さい内径の密閉用リング３５が使用されたので、ケーブル１１ａ，１１ｂは弾力性を有する密閉用リング３５に密着されている。したがって、密閉用リング３５とケーブル１１ａ,１１ｂとの間の隙間は封止される。
【００４６】
さらに、電線２８ｄ，２８ｅが、電線２８ａ，２８ｂが取り付けられた端子板３７ａと対となる端子板３７ｂに、ネジ４０により取り付けられている。そして、電線２８ｄ、２８ｅの先端は筐体２内の電気機器などに接続されている。
【００４７】
この実施の形態３による配電盤１Ｃでは、筐体２内部へのケーブル１１ａ，１１ｂの引き込みは、遮蔽板３６に設けた弾力性および防水性を有する密閉用リング３５にケーブル１１ａ，１１ｂを挿通させて行っている。従って、ケーブル１１ａ，１１ｂの密閉用リング３５での挿通部分においては気密性が安定して保持される。また、孔部７は遮蔽板３６により塞口されている。
従って、この実施の形態３によれば、実施の形態１と同様の効果に加えて、ケーブル１１ａ，１１ｂが密閉用リング３５に固定されるので、ケーブル１１ａ，１１ｂが安定して保持され、電線２８ａ，２８ｂの端子台３８への取り付けにおける作業性が向上されるという効果が得られる。
なお、この実施の形態３では、ケーブル１１ａ，１１ｂを密閉用リング３５に挿通させるものとして説明したが、ケーブル１１ａ，１１ｂを挿通させることに限定されるものではなく、電線２８ａ，２８ｂの個々を密閉用リング３５に挿通させてもよい。この場合は、遮蔽板３６に密閉用リング３５を６つ嵌着させればよい。ここでケーブル１１ａ，１１ｂおよび電線２８ａ，２８ｂをまとめて配線部材と定義する。
【００４８】
実施の形態４．
図１１はこの発明の実施の形態４に係る配電盤における配線接続具の配設箇所周りの構造を示す断面図である。
図１１において、支持部４Ｂは、円筒部１３ｂと固定用板部１４とで構成される。そして、支持部４Ｂは、その一端側の固定用板部１４をコンクリート土台９の他面に合わせて、コンクリート土台９にボルト３０によって固定されている。
【００４９】
また、筐体２は、孔部７の中心を円筒部１３ｂの軸心と一致させて、支持部４Ｂの他端側の固定用板部１４上に気密に取り付けられている。円筒部１３ｂは、筐体２の下部近傍に位置する円筒部１３ｂの部位に、開口２３が穿設されている。そして、扉４１が開口２３を開閉可能に円筒部１３ｂに配設されている。また、ケーブル保持具４２が円筒部１３ｂの開口近傍の内壁に配設され、円筒部１３ｂ内に挿通されたケーブル１１ａ，１１ｂを保している。
【００５０】
ケーブル保持具４２は、円筒部１３ｂの内壁から径方向の中心に向けて突出するアーム４３と、アーム先端に取り付けられた保持片４４と、ケーブル結束用のバンド４５とを有している。そして、バンド４５で保持片４４とケーブル１１ａ，１１ｂとを巻きつけて、ケーブル１１ａ，１１ｂを安定保持させている。
なお、他の構成は上記実施の形態２と同様に構成されている。
【００５１】
この実施の形態４による配電盤１Ｄでは、ケーブル１１ａ，１１ｂがケーブル保持具４２によって安定保持され、例えば、電線２８ａ，２８ｂとオス型コネクタ３２ｂとの接続部位では、ケーブル１１ａ，１１ｂの自重による引っ張り力による負荷が軽減される。
従って、この実施の形態４によれば、嵌着されたオス型コネクタ３２ｂとメス型コネクタ３１ｂとが外れて、オス型コネクタ３２ｂが脱落することが防止されるという効果が得られる。また、円筒部１３ｂに扉４１を設けたことにより、支持部４Ｂと筐体２とを分離することなしに、ケーブル１１ａ，１１ｂの点検作業や交換などを行うことができるので、作業性が向上される。
【００５２】
なお、この実施の形態４では、筐体２の気密性は、配線接続具３Ｂにより保たれる構造のもので説明したが、配線接続具３Ｂの代わりに配線接続具３Ａや遮蔽板３６を用いてもよい。この場合、ケーブル１１ａ，１１ｂは、端子板２６または端子板３７ａから脱落されることが防止される。
【００５３】
実施の形態５．
図１２はこの発明の実施の形態５に係る配電盤の斜視図である。
実施の形態１〜実施の形態４では、いわゆるポスト型の配電盤１Ａ〜１Ｄについて述べてきたが、ここでは壁掛け型の配電盤１Ｅについて述べる。
図１２において、断面Ｕ字のボルト締付金具４６が、筐体２の外部側の背面の四隅に、それぞれの一側の側片４７を固着して配設されている。そして、例えば支持部４Ａが省略された配電盤１Ｅが、ボルト締付金具４６の他側の側片４８にはボルト４９が挿通されて、室内の壁（図示せず）に固定される。そして、ケーブル１１ａ，１１ｂが筐体２の下部まで導かれ、電線２８ａ，２８ｂが配線接続具３Ａの第２の突出部２２ｂの端子板２６に取り付けられている。
なお、他の構成は上記実施の形態１と同様に構成されている。
【００５４】
この実施の形態５によれば、ケーブル１１ａ，１１ｂが筐体２の下部まで導かれて、電線２８ａ，２８ｂが、第２の突出部２２ｂの端子板２６に取り付けられているので、支持部４Ａを有さない壁掛け型の配電盤１Ｅに対しても、実施の形態１と同様の効果が得られる。
【００５５】
実施の形態６．
図１３はこの発明の実施の形態６に係る配電盤の構成を示す斜視図、図１４はこの発明の実施の形態６に係る配電盤における配線接続具の配設箇所周りの構造を示す断面図である。
実施の形態１〜実施の形態５では、ポスト型および壁掛け型の配電盤１Ａ〜１Ｅについて述べてきたが、ここでは、地面および床に直接設置される自立型配電盤１Ｆについて述べる。
図１３および図１４において、支持部４Ａが省略され、筐体２の底床６が直接地面や床（図示せず）に配設されている。また、地面や床にはケーブル１１ａ，１１ｂの配線経路を安定した状態で確保するために溝部１２ｂが形成されている。そして、ケーブル１１ａ，１１ｂが第２の突出部２２ｂの端子板２６に取り付けられている。
なお、他の構成は上記実施の形態１と同様に構成されている。
【００５６】
この実施の形態６によれば、筐体２が地面や床に配設され、ケーブル１１ａ，１１ｂが配線接続具３Ａの端子板２６に接続されているので、直接地面に設置された自立型の配電盤１Ｆに対しても実施の形態１と同様の効果が得られる。
【００５７】
なお、実施の形態１,２では、２本のケーブル１１ａ，１１ｂに電線２８ａ，２８ｂが３本ずつ内包されているものとして説明したが、電線２８ａ,２８ｂの数は３本ずつに限定されるものではなく、筐体２の内部に配設される電気機器の数などに応じて所望の数だけ電線２８ａ,２８ｂを用いればよい。このとき、配線接続具３Ａ，３Ｂの端子板２６は、電線２８ａ，２８ｂの数に応じて配設数を適宜決定すればよい。
【００５８】
また、第１の突出部２２ａおよび第２の突出部２２ｂは円板部１９の他面および締付部２０の一面からそれぞれ１つずつ突出するものとして説明したが、１つずつに限定されるものでは無く、複数突出させてもよい。
【００５９】
なお、各実施の形態では、筐体２の底床６に配線接続具３Ａ，３Ｂや遮蔽板３６を設けるものとして説明したが、配線接続具３Ａ，３Ｂや遮蔽板３６は底床６に配設するものに限定されるものではなく、筐体２の側壁や天井側の壁に配設するなどしてもよい。
また、実施の形態１，２および実施の形態４〜６では、リング状のパッキン５を配設するものとして説明したが、締付部２０のネジ溝２４と底床６のタップ１５による締付力のみで筐体２の内外の気密性が保たれれば、パッキン５を配設する必要はない。
【００６０】
また、実施の形態１〜４では、筒状体に円筒部１３ａ，１３ｂを用いるものとして説明したが筒状体は円筒部１３ａ，１３ｂをもちいることに限定されるものではなく、断面が楕円や三角形、さらに、他の多角形の筒状体を用いてもよい。
また、実施の形態５，６では、配線接続具３Ａを用いて筐体２内を密閉しつつ筐体２の内外の電気的接続を行う構造のものを例にあげたが、配線接続具３Ａを用いることに限定されるものではなく、配線接続具３Ｂおよび遮蔽板３６を用いて筐体２の内外を密閉させてもよい。
【図面の簡単な説明】
【００６１】
【図１】この発明の実施の形態１に係る配電盤の斜視図である。
【図２】図１のＩＩ−ＩＩ矢視断面図である。
【図３】この発明の実施の形態１に係る配電盤における配線接続具の配設箇所周りの構造を示す断面図である。
【図４】この発明の実施の形態１に係る配電盤における配線接続具の拡大斜視図である。
【図５】図１のＶ−Ｖ矢視断面図である。
【図６】図５のＶＩ−ＶＩ矢視断面図である。
【図７】この発明の実施の形態２に係る配電盤における配線接続具の配設箇所周りの構造を示す断面図である。
【図８】この発明の実施の形態２に係る配電盤における配線接続具の拡大斜視図である。
【図９】この発明の実施の形態３に係る配電盤の斜視図である。
【図１０】この発明の実施の形態３に係る配電盤における遮蔽板の配設箇所周りの構造を示す断面図である。
【図１１】この発明の実施の形態４に係る配電盤における配線接続具の配設箇所周りの構造を示す断面図である。
【図１２】この発明の実施の形態５に係る配電盤の斜視図である。
【図１３】この発明の実施の形態６に係る配電盤の構成を示す斜視図である。
【図１４】この発明の実施の形態６に係る配電盤における配線接続具の配設箇所周りの構造を示す断面図である。
【図１５】従来の配電盤の構成を示す斜視図である。
【図１６】図１５のＸＶＩ−ＸＶＩ矢視断面図である。
【図１７】従来の配電盤におけるケーブル引き込み部周りを示す要部拡大断面図である。
【符号の説明】
【００６２】
１Ａ〜１Ｆ  配電盤、２  筐体、４Ａ，４Ｂ  支持部、１３ａ，１３ｂ  円筒部（筒状体）、１８  取付部、２１  端子台配設部（接続部）、２２ａ〜２２ｄ  第１の突出部〜第４の突出部（保持部）、２３  開口、２６  端子板（電気結合部）、２７ａ，２７ｂ  導体、２８ａ〜２８ｄ  電線、３１ａ，３１ｂ  メス型コネクタ（接続部）、３３  ピン係合部（電気結合部）、３５  密閉用リング、３９  リング嵌着用孔、４１  扉、４２  ケーブル保持具。
【図１】
2007288965.tif 000003
【図２】
2007288965.tif 000004
【図３】
2007288965.tif 000005
【図４】
2007288965.tif 000006
【図５】
2007288965.tif 000007
【図６】
2007288965.tif 000008
【図７】
2007288965.tif 000009
【図８】
2007288965.tif 000010
【図９】
2007288965.tif 000011
【図１０】
2007288965.tif 000012
【図１１】
2007288965.tif 000013
【図１２】
2007288965.tif 000014
【図１３】
2007288965.tif 000015
【図１４】
2007288965.tif 000016
【図１５】
2007288965.tif 000017
【図１６】
2007288965.tif 000018
【図１７】
2007288965.tif 000019